(57)【要約】  再現順変換（１２２）によってキャリブレートされる少なくとも１つの再現デバイス（１２０）上で再現されるべき画像の色補正のためのシステム（１００）での使用のために適応されたカラー品質制御デバイス（１４０）。システムもまた、画像内の少なくとも１つの色を補正するように適応された色補正デバイス（１１０）を含む。カラー品質制御デバイス（１４０）は、再現順変換（１２２）からの情報を使用して、画像（３２２）内の輪郭が変換によって導入された疑似輪郭（３２８）であるかどうか判定する疑似輪郭検出ユニット（１４１）を含む。これは、色補正中のオペレータの作業を容易にする。システムおよび方法もまた提供される。
2009512924.tif 000002
【特許請求の範囲】
【請求項１】
再現順変換（１２２）によってキャリブレートされる少なくとも１つの再現デバイス（１２０）上で再現されるべき画像の色補正のためのシステム（１００）において使用されるよう適応されたカラー品質制御デバイス（１４０）であって、前記画像内の色を補正するように適応された色補正デバイス（１１０）をさらに備え、カラー品質制御デバイス（１４０）が、再現順変換（１２２）からの情報を使用して前記画像（３２２）内の輪郭が疑似輪郭（３２８）であるかどうか判定するように適応された疑似輪郭検出ユニット（１４１）を備えることを特徴とするカラー品質制御デバイス（１４０）。
【請求項２】
前記疑似輪郭検出ユニット（１４１）は、
前記画像（３２２）内の輪郭を見つけ、
前記再現順変換（１２２）における異常に関する情報を使用して、見つけられた輪郭が疑似輪郭（３２８）かどうか判定する
ようにさらに適応されることを特徴とする請求項１に記載のカラー品質制御デバイス（１４０）。
【請求項３】
前記疑似輪郭検出ユニット（１４１）は、
前記再現順変換（１２２）における異常に関する情報を使用して、そのような異常のまわりの補正された色の間の輪郭を前記画像（３２２）内で検索し、
前記画像（３２２）内で見つけられた任意の輪郭も疑似輪郭（３２８）であると判定する
ようにさらに適応されることを特徴とする請求項１に記載のカラー品質制御デバイス（１４０）。
【請求項４】
前記疑似輪郭検出ユニット（１４１）は、
変換された再現色（１２７）の前記画像（３２２）内の輪郭を検索し、
前記補正された色（１１２）の前記画像内の輪郭を検索し、
前記補正された色（１１２）の前記画像内に対応する輪郭がない場合は、変換された再現色の前記画像（３２２）内の検出された輪郭を疑似輪郭（３２８）として分類する
ように適応されることを特徴とする請求項１に記載のカラー品質制御デバイス（１４０）。
【請求項５】
前記再現順変換（１２２）は区分的に定義された関数によって与えられることを特徴とする請求項１に記載のカラー品質制御デバイス（１４０）。
【請求項６】
疑似輪郭に関する情報をユーザに提供するように適応されたビジュアル化ユニット（１４３）をさらに備えることを特徴とする請求項１に記載のカラー品質制御デバイス（１４０）。
【請求項７】
画像内の少なくとも１つの色を補正するように適応された色補正デバイス（１１０）、および前記補正された画像をユーザに表示するように適応されたプルーフビューイングデバイス（１３０）を備える画像の色補正のためのシステム（１００）であって、請求項１から６のうちの任意の一項に記載のカラー品質制御ユニット（１４０）を含むことを特徴とするシステム（１００）。
【請求項８】
色補正システムにおいて色品質を制御する方法であって、再現順変換（１２２）によってキャリブレートされる少なくとも１つの再現デバイス（１２０）上に再現されるべき画像内の少なくとも１つの色を色補正デバイス（１１０）によって補正するステップを備え、前記画像（３２２）内の輪郭が疑似輪郭（３２８）であるか否かを、前記再現順変換（１２２）からの情報を使用して、カラー品質制御ユニット（１４０）によって判定するステップをさらに備えたことを特徴とする方法。
【発明の詳細な説明】
【技術分野】
【０００１】
本発明は、一般に、カラーマネジメント（ｃｏｌｏｕｒ  ｍａｎａｇｅｍｅｎｔ）に関し、より詳細には、色を管理するためのシステムにおける色域外検出および警告に関する。
【背景技術】
【０００２】
デジタルフィルム処理およびデジタル映画の導入時代には、−従来はアナログの−映画撮影ワークフロー（ｗｏｒｋｆｌｏｗ）において、複数のデジタル処理段階が生じる。しばらくの間デジタル特殊効果生成および撮影後の編集（ｐｏｓｔ−ｐｒｏｄｕｃｔｉｏｎ）が普通であったが、今ではデジタルカメラおよび新しいデジタル表示デバイスならびにデジタルメディア（ｄｉｇｉｔａｌ  ｍｅｄｉａ）が普及し始めている。デジタル機器は、キャプチャ（ｃａｐｔｕｒｅ）および後処理中の作業習慣を完全に変え、デジタル技術は新しい特徴をもたらすが、それらはまた芸術的経験および伝承の危機を表す。したがって、知られている芸術的効果を従来の−−アナログの−−映画撮影後処理からデジタル映画の後処理に移行する必要がある。新しい機器の導入は漸進的であると予期されるので、共存するアナログおよびデジタル処理のための技術が研究されなければならない。これは、例えば、アナログフィルムカメラによってキャプチャされ、次いでデジタルプロジェクタによって表示されるフィルム、またはアナログフィルム製作チェーン（ａｎａｌｏｇｕｅ  ｆｉｌｍ  ｐｒｏｄｕｃｔｉｏｎ  ｃｈａｉｎ）におけるデジタル特殊効果の統合に関する。
【０００３】
芸術的ワークフローツールの１つは色補正であり、これは、例えば、照明色アーティファクト（ａｒｔｅｆａｃｔｓ）を補償するために生産後に、またはある種の場面のための芸術的意図を実現するために色調を微調整すべくフィルム配給（ｄｉｓｔｒｉｂｕｔｉｏｎ）の前に、生フィルム材料に適用される。色補正は、映画撮影後処理の重要な段階であるのとは別に、印刷の前に写真、絵画、またはグラフィックスにも適用される。
【０００４】
一連のビデオフレームにも、単一のビデオフレームにも、静止画にも、または画像の中のオブジェクトなど画像の部分にさえも、色補正を適用することができる。これは、芸術監督（ａｒｔｉｓｔｉｃ  ｄｉｒｅｃｔｏｒ）と１人または複数の熟練したオペレータとの協力で通常行われる。芸術監督は色補正の意図を記述し、一方でオペレータは、その意図をビジュアルコンテンツ（ｖｉｓｕａｌ  ｃｏｎｔｅｎｔ）に適用される色変換に変換する。そのような色変換は、例えば、彩度の上昇、色相の変化、赤色調の低下またはコントラストの増加を含んでもよい。色補正は、画像にも、１組の画像にも、１つの単一の画像における特定の領域にも、または特定の意味単位（ｓｅｍａｎｔｉｃ  ｕｎｉｔ）に対応するいくつかの画像におけるすべての画像領域にさえも、グローバルでよい。
【０００５】
色補正の間、芸術監督およびオペレータは、適用された色補正の最終再現媒体に及ぼす影響がどんなものであるか覚えておかなければならない。以下の諸例は、この問題を示す。第１の例では、絵画がパーソナルコンピュータ（ＰＣ）を使用してスキャンされ、色補正される。オペレータは、ＰＣのディスプレイ上で適用された色補正を検証するが、最終再現は紙のプリンタ（ｐａｐｅｒ  ｐｒｉｎｔｅｒ）で行われる。第２の例は、スキャンされ、デジタル化され、専用の高解像度色補正デバイスを使用して色補正されるフィルムである。オペレータは、高精細制御モニタの画面上で適用された色補正を検証するが、最終再現は後でフィルム投影が行われるフィルムプリンタ（ｆｉｌｍ  ｐｒｉｎｔｅｒ）によって行われる。
【０００６】
これら２つのいずれの例においても、検証された色は再現された色と違っている可能性があり、プルーフビューイング（校正閲覧：ｐｒｏｏｆ  ｖｉｅｗｉｎｇ）表示デバイス（例えばＰＣモニタ画面または高精細制御モニタ）と最終再現デバイス（例えば紙のプリンタ、または後でフィルム投影が行われるフィルムプリンタ）との間のいかなる違いも、色補正中に考慮に入れられるべきである。これらの違いには、色相の変化、彩度の変化、コントラストの変化、輝度の変化、ダイナミックレンジ（ｄｙｎａｍｉｃ  ｒａｎｇｅ）の変化、色域の変化などがあり得る。この問題の知られている部分的なソリューションは、カラーマネジメント（ＣＭＭ）である。ＣＭＭでは、プルーフビューイングデバイスおよび最終再現デバイスの特性は、色変換を使用して測定され、数学的にモデル化され、次いで、補償される。ＣＭＭは、表示デバイスの、関係するデバイスの、再現可能な色すべてを表す色域を考慮に入れる。画像が表示デバイスの色域外の色、または色域の境界に近い色を含む場合、適用された色変換は、変換された色が色域の内側にあるように色圧縮、カラークリッピング（ｃｏｌｏｕｒ  ｃｌｉｐｐｉｎｇ）、または他の特定の動作を含んでもよい。
【０００７】
表示デバイスの色域間の違いは色補正の問題を引き起こすことを容易に理解されたい。オペレータがプルーフビューイングデバイス上に許容可能な結果を生成する色補正を適用することが生じる可能性があり、最終再現デバイスの色域はプルーフビューイングデバイスの色域とは違うので、最終再現デバイスが再現することができない色もある。また、オペレータが最終再現デバイス上に許容可能な結果を生成するであろう特定の色補正を適用することを所望することが生じる可能性もあり、補正は、限定された色域ではプルーフビューイングデバイス上で十分にビジュアル化されることができない。
【０００８】
色補正の第２の問題は、ＣＭＭの色変換によって引き起こされる。これらの色変換は、入力色値を出力色値に変換する。変換は、それぞれが有効入力色の特定の範囲に関して定義されるいくつかの部分的色変換を含んでもよい。有効入力色のそのような範囲の境界上では、色変換はその傾きを変えるか、または不連続である可能性がある。これは、変換された画像内に疑似輪郭を生成する可能性がある。さらに、色変換は、しばしば、１組の対のサンプル入力色およびサンプル出力色を含むＬＵＴ（ルックアップテーブル：Ｌｏｏｋ−Ｕｐ  Ｔａｂｌｅ）を使用する。色がＬＵＴ内で変換される場合、サンプル色間の色が補間されなければならない。色補間は不連続色またはサンプル色における色の不連続な傾きを導入し、これは変換された画像内に疑似輪郭を生成する可能性がある。
【０００９】
再現デバイスの色域外、いわゆる「ガンマアラーム（ｇａｍｍａ  ａｌａｒｍ）外」の色値を検出することは、当技術分野ではよく知られている。例えば、特許文献１は再現デバイスの色域外にあるカラーパレットからのすべての色を示すシステムを教示している。
【００１０】
【特許文献１】米国特許出願公開第２００３／００１６２３０号Ａ１
【発明の開示】
【発明が解決しようとする課題】
【００１１】
本発明は、オペレータが、色補正によって引き起こされる再現された画像内の可能な問題を知らされるための方法を提供することにより従来技術を改良することを意図するものである。
【課題を解決するための手段】
【００１２】
第１の態様では、本発明は、再現順変換によってキャリブレートされる少なくとも１つの再現デバイス上に再現されるべき画像の色補正のためのシステムでの使用に適応されたカラー品質制御デバイスを対象とする。変換された色は変換された再現色と呼ばれる。システムは、画像内の色を補正するように適応された色補正デバイスをさらに含む。補正デバイスの出力色は補正された色と呼ばれる。カラー品質制御デバイスは、再現順変換からの情報を使用して画像内の輪郭が疑似輪郭であるかどうか判定するように適応された疑似輪郭検出ユニットを含む。
【００１３】
好ましい実施形態では、疑似輪郭検出ユニットは、画像内の輪郭を見つけ、再現順変換における異常に関する情報を使用して、見つけられた輪郭が疑似輪郭であるかどうか判定するように適応される。
【００１４】
他の好ましい実施形態では、疑似輪郭検出ユニットは、再現順変換における異常に関する情報を使用して、そのような異常のまわりの補正された色間の輪郭を画像内で検索し、画像内で見つけられた任意の輪郭を疑似輪郭であると判定するように適応される。
【００１５】
他の好ましい実施形態では、疑似輪郭検出ユニットは、変換された再現色の画像内に輪郭を検索し、補正された色の画像内で輪郭を検索し、補正された色の画像内に対応する輪郭がない場合は、変換された再現色の画像内の検出された輪郭を疑似輪郭として分類するように適応される。
【００１６】
他の好ましい実施形態では、再現順変換は、区分的に定義された関数（ｐｉｅｃｅｗｉｓｅ  ｄｅｆｉｎｅｄ  ｆｕｎｃｔｉｏｎ）によって与えられる。
【００１７】
他の好ましい実施形態では、カラー品質制御デバイスは、ユーザに疑似輪郭に関する情報を提供するように適応されたビジュアル化ユニットをさらに含む。
【００１８】
第２の態様によれば、本発明は、画像の色補正のためのシステムを対象とする。システムは、画像内の色を補正するように適応された色補正デバイス、ユーザに補正された画像を表示するように適応されたプルーフビューイングデバイス、および本発明の第１の態様によるカラー品質制御ユニットを含む。
【００１９】
第３の態様では、本発明は、色補正システムにおいて色品質を制御する方法を対象とする。再現順変換によってキャリブレートされる少なくとも１つの再現デバイスで再現されるべき画像内の少なくとも１つの色は、色補正デバイスによって補正される。カラー品質制御ユニットは、再現順変換からの情報を使用して画像内の輪郭が疑似輪郭であるかどうか判定する。
【発明を実施するための最良の形態】
【００２０】
次に、本発明の好ましい特徴が、添付の図面を参照しながら、例として説明される。
【００２１】
以下の例示的で非限定的な実施形態では、本発明は、専用色補正デバイスを使用するデジタル化されたフィルムの色補正、およびフィルム投影に続くフィルム印刷による最終再現の場合について説明される。
【００２２】
図１は、本発明で使用するカラーマネジメント（ＣＭＭ）を使用する色補正環境１００を示す。
【００２３】
色補正デバイス１１０は、フィルムスキャナ（図示されていない）によってデジタル化されたフィルムを入力１０５として受け取る。オペレータは、フィードバックのためにプルーフビューイングデバイス１３０を使用して色補正をフィルムに適用し、一方でフィルムは、最終再現デバイス１２０、例えばフィルムプリンタを使用して最終的に再現される。例示的実施形態は、２つのデバイス（プルーフビューイングデバイスおよび再現デバイス）を含むが、この手順を３つ以上のデバイスに拡張することができる。
【００２４】
プルーフビューイングデバイス１３０は、任意のデバイスの特性を補償するプルーフビューイング順変換１３２を使用してキャリブレートされ、したがって、色補正デバイス１１０から受け取られる補正された色１１２はできる限り正確に示される。プルーフビューイング順変換１３２には、いくつかの部分的色変換、ＬＵＴベースの補間法、および色域クリッピングまたは範囲圧縮（ｇａｍｕｔ  ｃｏｍｐｒｅｓｓｉｏｎ）などがあり得る。補正された色などは、実際には、補正された色に関する情報として読まれるべきであることを理解されたい。
【００２５】
最終再現デバイス１２０は、任意のデバイスの特性を補償する再現順変換１２２を使用してキャリブレートされ、したがって、色補正デバイス１１０から受け取られた補正された色１１２はできる限り正確に再現される。再現順変換１２２には、いくつかの部分的色変換、ＬＵＴベースの補間法、および色域クリッピングまたは範囲圧縮などがあり得る。
【００２６】
カラー品質制御ユニット１４０は、色を連続的に分析する。このために、色補正によって補正された色１１２、順変換１２２、１３２に関する情報１２３、１３３、ならびに再現デバイス１２０およびプルーフビューイングデバイス１３０の逆変換１２４、１３４によって変換された色１２７、１３７−変換された色と呼ばれる−は、カラー品質制御ユニット１４０に入力される。逆変換１２４、１３４は、通常、表示デバイス１２０、１３０上に実際に表示される色を与えることを意図し、これらの色は元の色１１２と違ってもよい。
【００２７】
図２は、本発明によるカラー品質制御ユニットを示す。カラー品質制御ユニットは以下の３つの一般的なユニットを含む。
【００２８】
−補正された色１１２、順変換１２２、１３２に関する情報１２３、１３３、変換された再現色１２７、および変換されたプルーフビューイング色１３７を使用して、変換された再現色１２７内の疑似輪郭を検出するための疑似輪郭検出ユニット１４１、
−補正された色１１２、変換された再現色１２７、変換されたプルーフビューイング色１３７、および変換情報１２３、１３３を使用して変換アーティファクトを検出するための変換アーティファクト分析ユニット１４２、
−疑似輪郭情報１４５および変換アーティファクト情報１４４に基づいて、オペレータに疑似輪郭および変換アーティファクトの存在を警告する出力１４６を生成するためのビジュアル化ユニット１４３。
【００２９】
疑似輪郭検出
疑似輪郭、すなわちフラットな画像領域における輝度または色の不連続は、人間の目にかなりよく見える。これらの不所望の疑似輪郭は、図３に示されているように、色補正中に現れる可能性がある。
【００３０】
図３は、例えば変換されるべき色値であるｘ１およびｘ２が、色変換関数３１０によって色補正された色値であるｙ１およびｙ２に変換される例示的変換グラフ３００を示す。変換関数がなめらかである（第１次および第２次導関数において連続である）限り、疑似輪郭は通常、変換によって生成されないが、疑似輪郭は、変換が部分的になめらか（すなわち、変換の部分がなめらか）であっても、変換関数がなめらかでないとすぐに現れる可能性がある。図３では、なめらかさの欠如は、２つの「折れている部分（ｋｎｅｅ）」３１２、３１４によって示されている。
【００３１】
さらに、アナログフィルム３２０の１つのフレーム３２２だけが示されているアナログフィルム３２０の一部分が図３に示されている。このフレーム３２２には、色補正後がそれぞれ色値ｙ１およびｙ２を有する２つの領域３２４、３２６がある。２つの色値は、互いに近くにあるが、折れている部分３１４の異なる側にあるので、これは疑似輪郭３２８を生成する可能性がある（図では容易に見られるように引き伸ばされている）。「近くに」の正確な意味は、変換の部分ごとに異なるが、当業者はどの程度厳密な解釈を所望するかによって、特定の場合ごとに判定することができることに留意されたい。
【００３２】
疑似輪郭３２８は、色補正前の元の画像の一部分ではなかったので、疑似輪郭３２８は、不所望の現象である可能性が最も高い。
【００３３】
疑似輪郭は、ルックアップテーブル（ＬＵＴ）の使用など、他の変換法の使用中にも現れる可能性があることを留意されたい。要するに、疑似輪郭は補正された色がＬＵＴの変換値または入力値における異常のまわりに現れる場合に現れる可能性がある。
【００３４】
疑似輪郭を分析するために、補正された画像を分析して輪郭を検出し、次いで、補正された輪郭が、変則部分である本例では折れている部分のいずれの側にもあるかどうか見ることが提案される。当然、画像内での検索を折れている部分に近い色に、特にそのような色が多くある場合、限定するために、変換関数の知識を使用することも可能である。別の可能性は、変換された再現色の画像内、および補正された色の画像内の輪郭を検索し、後者の画像内に対応する輪郭がない場合は、前者の画像内の輪郭を疑似輪郭として分類することである。
【００３５】
疑似輪郭の分析の好ましい実施形態がここでより詳細に説明される。
【００３６】
第１に、フラットな画像領域が以下の段階によって検出される。
【００３７】
１．すべての画像の画素に関して、基準ＫＦ＝‖∇Ｃ‖が計算され、ここで∇は微分算子（ｄｅｒｉｖａｔｉｏｎ  ｏｐｅｒａｔｏｒ）、‖・‖はノルム演算子、Ｃは、１組の隣接する画像の画素のベクトル、例えばＲＧＢ値（赤緑青）である。代替として、他のアクティビティ基準が利用されてもよい。
【００３８】
２．画像の画素は、ＫＦ＜ＴＦであるとき、宣言されたフラットであり、ここでＴＦは閾値である。
【００３９】
３．フラットな画像領域は、メジアンフィルタ、形態学的な開および閉演算、ならびに小さな非連結領域の抑制を適用することによりフラットな画素から検出される。
【００４０】
フラットな画像領域では、疑似輪郭は、以下の段階によって検出される。
【００４１】
１．フラットな画像領域のすべての画素に関して、基準
【００４２】
【数１】
2009512924.tif 000003
【００４３】
が計算され、ここでＣｉは可能な色不連続を有する、すなわち変換異常のまわりの色値である。これらの色値は、ＬＵＴ入力であるか、部分的変換の有効範囲間の境界上の色値であるか、変換が不均質であると予測される場合は他の特定の色であるかのいずれかである変換情報から取られることができる。代替として、他の分散基準を利用してもよい。
【００４４】
２．画像の画素は、ＫＣ＞ＴＣの場合、疑似輪郭の宣言された候補であり、ここでＴＣは閾値である。
【００４５】
３．それらの空間的近傍の分析によって、候補は、検証され連結されて疑似輪郭を構築するか、または分離されている場合には除去される。
【００４６】
検出された疑似輪郭は、画像コンテンツおよびビューイング条件に応じて疑似輪郭のビジュアル性を判定するためにカラーアピアランスモデル（ｃｏｌｏｕｒ  ａｐｐｅａｒａｎｃｅ  ｍｏｄｅｌ）によって後処理段階において評価されてもよい。
【００４７】
変換情報１２３、１３３および変換された再現色１２７を使用して、疑似輪郭検出ユニット１４１は、オペレータが１つまたは複数の警告を受け取ることができるように、検出された疑似輪郭に関する情報１４５をビジュアル化ユニット１４３に提供する。
【００４８】
変換アーティファクト分析
変換アーティファクトは、例えば、変換が色域外にある値となる場合に現れる。変換アーティファクト分析は、変換情報１２３、１３３を使用して行われる。所与のプルーフビューイング順変換１３２およびプルーフビューイング逆変換１３４を有する所与のプルーフビューイングデバイス１３０に関して、ＧＶは色域、およびＧＶの境界上の色値ＣＶ，ｊとする。所与の再現順変換１２２および再現逆変換１２４を有する所与の再現デバイス１２０に関して、ＧＲは色域、およびＧＲ境界上の色値ＣＲ，ｊとする。
【００４９】
本発明は、少なくとも２つの色域、すなわち、プルーフビューイングデバイスの色域ＧＶおよび再現デバイスの色域ＧＲに基づいて変換アーティファクトを分析するという点で、従来技術を改良する。この分析は、例えば、複数のプルーフビューイングデバイスおよび複数の再現デバイスに拡張されてもよい。
【００５０】
変換アーティファクト制御は以下の場合を検出する。
【００５１】
１．ＧＶ外の色値。補正された色値Ｃは、ＣがＧＶに含まれていない場合にはＧＶ外と宣言される。ＧＶに関する情報は、変換情報１３３に含まれる。代替実施形態では、ＧＶは色（図１および２には示されていない）からの凸包（ｃｏｎｖｅｘ  ｈｕｌｌ）として算出される。
【００５２】
２．プルーフビューイング変換によって変更される色値。補正された色Ｃとその対応する変換された色との違いを測定することにより、違いが閾値を超えている場合には、色を変更すると宣言する。違いの測定は、特定の色空間（例えばＣＩＥＸＹＺ、またはＣＩＥＬａｂ）で行われることができる。
【００５３】
３．ＧＲ外の色値。補正された色値Ｃは、ＣがＧＲに含まれていない場合にはＧＲ外にあると宣言される。ＧＲに関する情報は、変換情報１２３に含まれている。代替実施形態では、ＧＲは、色１２１（図１および２には示されていない）から凸包として算出される。
【００５４】
４．再現変換によって変更される色値。補正された色Ｃとその対応する変換された色との違いを測定することにより、違いが閾値を超えている場合には、色を変更すると宣言する。違いの測定は、特定の色空間（例えばＣＩＥＸＹＺ、またはＣＩＥＬａｂ）で行われることができる。
【００５５】
変換アーティファクト分析ユニット１４２は、オペレータが１つまたは複数の警告を受け取ることができるように、検出されたアーティファクトに関する情報１４４をビジュアル化ユニット１４３に提供する。
【００５６】
警告Ａは、オペレータが、再現デバイス上に正確に再現された色という結果になる色補正を適用することをオペレータに示し、プルーフビューイングディスプレイ上に表示された色は、プルーフビューイングデバイスの限定された色域のために変更される。言い換えれば、オペレータは、「オペレータが見ているものはオペレータが得るものではない」ということを告げられるが、それでもなおオペレータは所望するものを得ることができる。警告Ａは、場合３および場合４が存在しない状況で、場合１およびまたは場合２で与えられる。
【００５７】
警告Ｂは、オペレータが、再現デバイスの限定された色域のためにそのデバイス上で不正確に再現された色という結果になる色補正を適用することをオペレータに示す。さらに、不正確に再現された色は、プルーフビューイングデバイス上に正確に示されない。これは、オペレータは、再現デバイスの不正確な色を評価し制御することができないことを意味する。警告Ｂは、場合３および場合４のうちの少なくとも１つが存在する場合、場合１および／または場合２で与えられる。
【００５８】
警告Ｂは、ビューイング順変換１３２が、補正された色１１２の代わりに、変換された再現色１２７によって与えられる代替実施形態において著しく興味深い。この実施形態では、プルーフビューイングデバイス１３０は通常、再現デバイス１２０によって正確に、または不正確に再現される色を再現する。警告Ｂは、不正確に再現された色はプルーフビューイングデバイス上で正確に示されないことを示す。
【００５９】
警告Ｃは、オペレータに、オペレータが、再現デバイスの限定された色域のためにそのデバイス上で不正確に再現された色という結果となる色変換を適用することを示す。しかし、色はプルーフビューイングデバイス上で正確に示される。これは、オペレータが再現デバイスの不正確な色を評価し制御することができることを意味する。警告Ｃは、場合１および場合２が存在しない状況で、場合３および／または場合４で与えられる。
【００６０】
ビジュアル化
ビジュアル化モジュール１４３は、好ましくはプルーフビューイングデバイス１３０による表示のために、疑似輪郭およびアーティファクト情報１４６を準備する。これは、別個の画像、重ねあわされた画像またはテキスト、統計情報でもよい。画像のビジュアル化の場合、疑似輪郭は線として示されてもよく、一方でアーティファクト警告Ａ、Ｂ、およびＣは、人工的に着色された画素としてビジュアル化されてもよい。疑似輪郭および警告Ａ、Ｂ、およびＣを示すために単一で予め決められた色を使用できるが、これらの４つの指示はそれぞれ、その他の指示とは異なる特定の色によって表されることが好ましい。これらの色は、それらがはっきり見えるように周囲のものに応じて変更されることがさらに好ましい。テキストのビジュアル化の場合は、アーティファクトまたは疑似輪郭の数およびタイプが表示されてもよい。
【００６１】
カラー品質制御ユニット１４０の構成要素は、それぞれプロセッサに実装でき、構成要素の１つまたは複数がプロセッサを共有してもよく、カラー品質制御ユニット１４０全体がプロセッサに実装されてもよいことを留意されたい。さらに、構成要素は、専用メモリ（図示されていない）、または他の構成要素と共有できるメモリへのアクセス権を有してもよい。
【００６２】
再現デバイス１２０およびプルーフビューイングデバイスそれぞれのための順変換１２２、１３２および逆変換１２４、１３４は、色補正デバイス１１０において、デバイス１２０、１３０それ自体で、または中間変換デバイス（図示されていない）で行われてもよいことも留意されたい。
【００６３】
したがって、本発明は、特に画像内の疑似輪郭を検出することにより画像内の色品質を制御するように適応されたデバイスを提供することにより、従来技術を改良することを理解されたい。
【００６４】
本発明は純粋に例として説明されてきたことが理解されるであろうし、詳細の変更が本発明の範囲から逸脱することなく行われることができる。
【００６５】
本明細書および（適切な場合は）特許請求の範囲ならびに図面で開示された各特徴は、独立に、または任意の適切な組合せで提供できる。特徴は、適切な場合は、ハードウェア、ソフトウェア、または両者の組合せで実装されうる。接続は、適用可能な場合は、無線接続または有線接続として実装でき、直接接続または専用接続である必要性はない。
【００６６】
特許請求の範囲に現れる参照数字は、例示としてのみであり、特許請求の範囲に限定的影響を及ぼさないものとする。
【図面の簡単な説明】
【００６７】
【図１】本発明による方法が使用される色補正環境を示す図である。
【図２】本発明によるカラー品質制御ユニットを示す図である。
【図３】画像内の疑似輪郭の原点の例示図である。
【図１】
2009512924.tif 000004
【図２】
2009512924.tif 000005
【図３】
2009512924.tif 000006
【国際調査報告】
2009512924.tif 000007
2009512924.tif 000008